(57)【要約】【課題】送信すべきマルチキャリア信号に対するピーク電力抑圧処理を実施しながらも、通信品質の改善を図り、以って伝送レートの向上を図る。【解決手段】送信装置と受信装置との間でマルチキャリア通信を行う無線通信システムであって、前記送信装置は、送信すべきマルチキャリア信号を生成する送信信号生成部と、前記マルチキャリア信号に対するピーク抑圧信号を生成する抑圧信号生成部と、前記マルチキャリア信号と前記ピーク抑圧信号との加算信号を生成する信号加算部と、前記加算信号及び前記ピーク抑圧信号を送信する送信部と、を備え、前記受信装置は、受信信号を前記加算信号と前記ピーク抑圧信号とに分離する受信部と、前記加算信号から前記ピーク抑圧信号を減算することで前記マルチキャリア信号を抽出する信号抽出部と、を備える。【選択図】図１
2011109377.tif 000002
【特許請求の範囲】
【請求項１】
送信装置と受信装置との間でマルチキャリア通信を行う無線通信システムであって、
前記送信装置は、
送信すべきマルチキャリア信号を生成する送信信号生成部と、
前記マルチキャリア信号に対するピーク抑圧信号を生成する抑圧信号生成部と、
前記マルチキャリア信号と前記ピーク抑圧信号との加算信号を生成する信号加算部と、
前記加算信号及び前記ピーク抑圧信号を送信する送信部と、を備え、
前記受信装置は、
受信信号を前記加算信号と前記ピーク抑圧信号とに分離する受信部と、
前記加算信号から前記ピーク抑圧信号を減算することで前記マルチキャリア信号を抽出する信号抽出部と、を備える、
ことを特徴とする無線通信システム。
【請求項２】
前記送信部は、１サンプル間隔で前記加算信号と前記ピーク抑圧信号とを順次送信し、
前記信号抽出部は、前記受信部から１サンプル間隔で得られる前記加算信号と前記ピーク抑圧信号との同期を取った後に、前記加算信号から前記ピーク抑圧信号を減算することを特徴とする請求項１記載の無線通信システム。
【請求項３】
前記抑圧信号生成部は、前記マルチキャリア信号におけるピーク電力の有無を判断し、前記ピーク電力が無いと判断した場合には、前記ピーク抑圧信号の生成を停止し、
前記送信部は、前記抑圧信号生成部において前記ピーク電力が無いと判断された場合、前記マルチキャリア信号を連続送信することを特徴とする請求項１または２に記載の無線通信システム。
【請求項４】
送信装置と受信装置との間でマルチキャリア通信を行う無線通信システムであって、
前記送信装置は、
送信すべきマルチキャリア信号と前記マルチキャリア信号に対するピーク抑圧信号とを合成した合成信号、及び前記ピーク抑圧信号を送信し、
前記受信装置は、
前記合成信号及び前記ピーク抑圧信号から前記マルチキャリア信号を復元する、
ことを特徴とする無線通信システム。
【請求項５】
送信すべきマルチキャリア信号を生成する送信信号生成部と、
前記マルチキャリア信号に対するピーク抑圧信号を生成する抑圧信号生成部と、
前記マルチキャリア信号と前記ピーク抑圧信号との加算信号を生成する信号加算部と、
前記加算信号及び前記ピーク抑圧信号を送信する送信部と、
を備えることを特徴とする送信装置。
【請求項６】
前記送信部は、１サンプル間隔で前記加算信号と前記ピーク抑圧信号とを順次送信することを特徴とする請求項５記載の送信装置。
【請求項７】
前記抑圧信号生成部は、前記マルチキャリア信号におけるピーク電力の有無を判断し、前記ピーク電力が無いと判断した場合には、前記ピーク抑圧信号の生成を停止し、
前記送信部は、前記抑圧信号生成部において前記ピーク電力が無いと判断された場合、前記マルチキャリア信号を連続送信することを特徴とする請求項５または６に記載の送信装置。
【請求項８】
送信装置からマルチキャリア信号とピーク抑圧信号との加算信号及び前記ピーク抑圧信号を受信する受信装置であって、
受信信号を前記加算信号と前記ピーク抑圧信号とに分離する受信部と、
前記加算信号から前記ピーク抑圧信号を減算することで前記マルチキャリア信号を抽出する信号抽出部と、
を備えることを特徴とする受信装置。
【請求項９】
前記送信装置から１サンプル間隔で前記加算信号と前記ピーク抑圧信号とが順次送信される場合において、
前記信号抽出部は、前記受信部から１サンプル間隔で得られる前記加算信号と前記ピーク抑圧信号との同期を取った後に、前記加算信号から前記ピーク抑圧信号を減算することを特徴とする請求項８記載の受信装置。
【請求項１０】
前記送信装置から前記マルチキャリア信号が連続送信される場合において、
前記信号抽出部は、前記受信部から連続的に得られる前記マルチキャリア信号を処理することなく、後段に出力することを特徴とする請求項８または９に記載の受信装置。
【発明の詳細な説明】
【技術分野】
【０００１】
本発明は、無線通信システム、送信装置及び受信装置に関する。
【背景技術】
【０００２】
近年では、周波数帯域の利用効率が高く、高速データ通信を実現可能なマルチキャリア通信の１方式として、直交周波数分割多重方式（ＯＦＤＭ：Orthogonal Frequency Division Multiplexing)が注目されている。このようなマルチキャリア通信では、平均電力に対するピーク電力の比（ＰＡＰＲ：Peak to Average Power Ratio）が非常に大きな信号を扱うことになり、ＯＦＤＭ方式も例外ではない。
【０００３】
この大きなピーク電力を許容するために、送信アンプには多大なバックオフが必要になる（換言すれば、広いダイナミックレンジ内で線形性を有する送信アンプが必要になる）が、そのようなピーク電力を許容できる送信アンプの使用はコストの増加につながり、現実的でない。そこで、従来では、信号品質（ＥＶＭ：Error Vector Magnitude）の劣化をある程度許容しながらも、このピーク電力を抑圧する技術（ＣＦＲ：Crest Factor Reduction）を採用することにより、送信アンプの設計を容易にすることが一般的である。なお、ＣＦＲに関する詳細については、下記特許文献１を参照されたい。
【先行技術文献】
【特許文献】
【０００４】
【特許文献１】特開２００７−３０６３４６号公報
【発明の概要】
【発明が解決しようとする課題】
【０００５】
上記のように、送信側で送信すべきＯＦＤＭ信号に対してＣＦＲを実施することにより、ＰＡＰＲの非常に大きな信号を扱うことができる一方、受信側で受信した信号のＥＶＭが劣化している（ピーク電力が抑圧されている）ため、６４ＱＡＭのような高速な変調クラスに設定することができず、低速な変調クラスに設定することになり、伝送レートが低くなってしまうという問題がある。
【０００６】
本発明は、上述した事情に鑑みてなされたものであり、送信すべきマルチキャリア信号に対するピーク電力抑圧処理を実施しながらも、通信品質の改善を図り、以って伝送レートの向上を図ることの可能な無線通信システム、送信装置及び受信装置を提供することを目的とする。
【課題を解決するための手段】
【０００７】
上記目的を達成するために、本発明に係る無線通信システムは、送信装置と受信装置との間でマルチキャリア通信を行う無線通信システムであって、前記送信装置は、送信すべきマルチキャリア信号を生成する送信信号生成部と、前記マルチキャリア信号に対するピーク抑圧信号を生成する抑圧信号生成部と、前記マルチキャリア信号と前記ピーク抑圧信号との加算信号を生成する信号加算部と、前記加算信号及び前記ピーク抑圧信号を送信する送信部と、を備え、前記受信装置は、受信信号を前記加算信号と前記ピーク抑圧信号とに分離する受信部と、前記加算信号から前記ピーク抑圧信号を減算することで前記マルチキャリア信号を抽出する信号抽出部と、を備える、ことを特徴とする。
【０００８】
また、上記の無線通信システムにおいて、前記送信装置の前記送信部は、１サンプル間隔で前記加算信号と前記ピーク抑圧信号とを順次送信し、前記受信装置の前記信号抽出部は、前記受信部から１サンプル間隔で得られる前記加算信号と前記ピーク抑圧信号との同期を取った後に、前記加算信号から前記ピーク抑圧信号を減算することを特徴とする。
また、上記の無線通信システムにおいて、前記抑圧信号生成部は、前記マルチキャリア信号におけるピーク電力の有無を判断し、前記ピーク電力が無いと判断した場合には、前記ピーク抑圧信号の生成を停止し、前記送信部は、前記抑圧信号生成部において前記ピーク電力が無いと判断された場合、前記マルチキャリア信号を連続送信することを特徴とする。
【０００９】
また、本発明に係る無線通信システムとして、送信装置と受信装置との間でマルチキャリア通信を行う無線通信システムであって、前記送信装置は、送信すべきマルチキャリア信号と前記マルチキャリア信号に対するピーク抑圧信号とを合成した合成信号、及び前記ピーク抑圧信号を送信し、前記受信装置は、前記合成信号及び前記ピーク抑圧信号から前記マルチキャリア信号を復元する、という構成を採用しても良い。
【００１０】
一方、本発明に係る送信装置は、送信すべきマルチキャリア信号を生成する送信信号生成部と、前記マルチキャリア信号に対するピーク抑圧信号を生成する抑圧信号生成部と、前記マルチキャリア信号と前記ピーク抑圧信号との加算信号を生成する信号加算部と、前記加算信号及び前記ピーク抑圧信号を送信する送信部と、を備えることを特徴とする。
【００１１】
また、上記の送信装置において、前記送信部は、１サンプル間隔で前記加算信号と前記ピーク抑圧信号とを順次送信することを特徴とする。
また、上記の送信装置において、前記抑圧信号生成部は、前記マルチキャリア信号におけるピーク電力の有無を判断し、前記ピーク電力が無いと判断した場合には、前記ピーク抑圧信号の生成を停止し、前記送信部は、前記抑圧信号生成部において前記ピーク電力が無いと判断された場合、前記マルチキャリア信号を連続送信することを特徴とする。
【００１２】
さらに、本発明に係る受信装置は、送信装置からマルチキャリア信号とピーク抑圧信号との加算信号及び前記ピーク抑圧信号を受信する受信装置であって、受信信号を前記加算信号と前記ピーク抑圧信号とに分離する受信部と、前記加算信号から前記ピーク抑圧信号を減算することで前記マルチキャリア信号を抽出する信号抽出部と、を備えることを特徴とする。
【００１３】
また、上記の受信装置において、前記送信装置から１サンプル間隔で前記加算信号と前記ピーク抑圧信号とが順次送信される場合、前記信号抽出部は、前記受信部から１サンプル間隔で得られる前記加算信号と前記ピーク抑圧信号との同期を取った後に、前記加算信号から前記ピーク抑圧信号を減算することを特徴とする。
また、上記の受信装置において、前記送信装置から前記マルチキャリア信号が連続送信される場合、前記信号抽出部は、前記受信部から連続的に得られる前記マルチキャリア信号を処理することなく、後段に出力することを特徴とする。
【発明の効果】
【００１４】
本発明によれば、受信装置側において、送信装置から受信した加算信号からピーク抑圧信号を減算することで、加算信号に含まれるマルチキャリア信号のピーク電力を再生することができるため、信号品質を改善することができる。また、信号品質の改善により、送信装置側にて高レートの変調方式を用いることができるようになるため、加算信号とピーク抑圧信号とを交互に送信したとしても、結果として伝送レートを向上させることができる。すなわち、本発明によれば、送信すべきマルチキャリア信号に対するピーク電力抑圧処理を実施しながらも、通信品質の改善を図り、以って伝送レートの向上を図ることが可能となる。
【図面の簡単な説明】
【００１５】
【図１】本発明の一実施形態に係る無線通信システム１のブロック構成図である。
【図２】無線通信システム１における送信装置１０の送信動作を示すフローチャートである。
【図３】ＣＦＲ処理によって得られる加算シンボル信号の時間−電力波形である。
【図４】無線通信システム１における受信装置２０の受信動作を示すフローチャートである。
【図５】送信装置１０側で６４ＱＡＭのデジタル変調を行った場合に、受信装置２０側で得られるピーク電力再生前（ノイズシンボル信号減算前）の加算シンボル信号のＩＱベクトル分布図（ａ）と、ピーク電力再生後（ノイズシンボル信号減算後）のＯＦＤＭシンボル信号のＩＱベクトル分布図である（ｂ）。
【図６】従来技術と本実施形態との伝送レートに関する比較図である。
【図７】送信装置１０の送信動作を示すフローチャートの変形例である。
【発明を実施するための形態】
【００１６】
以下、本発明の一実施形態について、図面を参照しながら説明する。
図１は、本実施形態における無線通信システム１のブロック構成図である。この図１に示すように、本実施形態における無線通信システム１は、マルチキャリア通信の１方式であるＯＦＤＭ方式を用いて無線通信を行う送信装置１０及び受信装置２０から構成されている。送信装置１０は、送信信号生成部１１、抑圧信号生成部１２、信号加算部１３及び送信部１４を備え、また、受信装置２０は、受信部２１及び信号抽出部２２を備えている。
【００１７】
送信装置１０において、送信信号生成部１１は、送信すべきＯＦＤＭシンボル信号（マルチキャリア信号）を生成するものであり、生成したＯＦＤＭシンボル信号を抑圧信号生成部１２及び信号加算部１３へ出力する。ＯＦＤＭシンボル信号の生成方法は周知技術であるので詳細な説明は省略するが、簡単に説明すると以下の通りである。
【００１８】
すなわち、送信信号生成部１１は、送信すべきデータ列（このデータ列に誤り訂正符号を付しても良い）をシリアル−パラレル変換することで、各サブキャリアに対応するビットデータに分割し、各ビットデータをそれぞれに対応するサブキャリアを用いてデジタル変調することでＩＱ平面にマッピングされたシンボルデータを得る。そして、送信信号生成部１１は、各シンボルデータを逆フーリエ変換して直交多重化し、最後にガードインターバルを付加することでＯＦＤＭシンボル信号を生成する。
【００１９】
抑圧信号生成部１２は、ＯＦＤＭシンボル信号に対するピーク抑圧信号を生成するものであり、ピーク検波部１２ａ及びノイズシンボル作成部１２ｂを備えている。ピーク検波部１２ａは、送信信号生成部１１から入力されるＯＦＤＭシンボル信号のピーク電力を検出し、その検出結果をノイズシンボル作成部１２ｂへ出力する。ノイズシンボル作成部１２ｂは、ピーク検波部１２ａから得られるピーク電力検出結果に応じて、ピーク電力を抑圧可能なピーク抑制信号（ノイズシンボル信号）を生成し、当該生成したノイズシンボル信号を信号加算部１３及び送信部１４へ出力する。なお、本実施形態では、ノイズシンボル信号として、ピーク電力波形の逆特性波形を用いるものとする。
【００２０】
信号加算部１３は、送信信号生成部１１から入力されるＯＦＤＭシンボル信号と、抑圧信号生成部１２（ノイズシンボル作成部１２ｂ）から入力されるノイズシンボル信号との加算信号（加算シンボル信号）を生成し、当該生成した加算シンボル信号を送信部１４へ出力する。送信部１４は、信号加算部１３から入力される加算シンボル信号と、抑圧信号生成部１２（ノイズシンボル作成部１２ｂ）から入力されるノイズシンボル信号とを１サンプル間隔で順次送信する。例えば、送信部１４は、奇数サンプル時に加算シンボル信号を送信し、偶数サンプル時にノイズシンボル信号を送信する。
【００２１】
なお、図１では図示を省略しているが、送信部１４の後段には、加算シンボル信号とノイズシンボル信号とをアナログ信号に変換するＤ／Ａコンバータや、ＲＦ周波数へ周波数変換するアップコンバータ等が設けられている。
【００２２】
一方、受信装置２０において、受信部２１は、前段に設置されたダウンコンバータ及びＡ／Ｄコンバータ（共に図示省略）を介して得られる受信信号を加算シンボル信号とノイズシンボル信号とに分離し、加算シンボル信号を信号抽出部２２の信号バッファ２２ａへ出力する一方、ノイズシンボル信号を信号抽出部２２の信号減算部２２ｂへ出力する。
【００２３】
信号抽出部２２は、受信部２１から１サンプル間隔で得られる加算シンボル信号とノイズシンボル信号との同期を取った後に、加算シンボル信号からノイズシンボル信号を減算することで、加算シンボル信号に含まれるＯＦＤＭシンボル信号を抽出するものであり、信号バッファ２２ａ及び信号減算部２２ｂを備えている。
【００２４】
信号バッファ２２ａは、受信部２１から入力される加算シンボル信号を１サンプル時間だけバッファリングした後、信号減算部２２ｂへ出力する。信号減算部２２ｂは、信号バッファ２２ａから入力される加算シンボル信号から、受信部２１から入力されるノイズシンボル信号を減算し、当該減算後に得られる信号をＯＦＤＭシンボル信号として出力する。このように、信号バッファ２２ａを設けることで、１サンプル間隔で得られる加算シンボル信号とノイズシンボル信号との同期を取る構成としている。
【００２５】
なお、上述したように、ＯＦＤＭシンボル信号とノイズシンボル信号とを加算したものを加算シンボル信号とし、加算シンボル信号からノイズシンボル信号を減算してＯＦＤＭシンボル信号を抽出するようにしたが、加算、減算という演算はあくまでも１つの実施例に過ぎず、送信側でＯＦＤＭシンボル信号とノイズシンボル信号との合成信号が生成され、受信側で受信した上記合成信号からＯＦＤＭシンボル信号が復元されれば良い。
【００２６】
次に、上記のように構成された無線通信システム１の通信動作について詳細に説明する。
＜送信装置１０の送信動作＞
まず、送信装置１０の送信動作について、図２のフローチャートを参照しながら説明する。図２に示すように、まず、送信装置１０の送信信号生成部１１は、送信すべきＯＦＤＭシンボル信号Ａ(odd)を生成する（ステップＳ１）。ここで、oddは、奇数サンプル番号を示す変数である。
【００２７】
続いて、抑圧信号生成部１２は、ＯＦＤＭシンボル信号Ａ(odd)のピーク電力を抑圧可能なノイズシンボル信号Ｎ(even)を生成する（ステップＳ２）。ここで、evenは、偶数サンプル番号を示す変数である。そして、信号加算部１３は、ＯＦＤＭシンボル信号Ａ(odd)とノイズシンボル信号Ｎ(even)とを加算することで、加算シンボル信号Ｃ(odd)を生成する（ステップＳ３）。このステップＳ３がＣＦＲ処理に相当し、これによりピーク電力が抑圧された加算シンボル信号Ｃ(odd)が得られる。図３は、ＣＦＲ処理によって得られる加算シンボル信号Ｃ(odd)の時間−電力波形の一例である。
【００２８】
そして、送信部１４は、今回サンプル時に送信すべき信号が加算シンボル信号Ｃ(odd)か、ノイズシンボル信号Ｎ(even)かを判断し（ステップＳ４）、奇数サンプル時であれば加算シンボル信号Ｃ(odd)を送信し（ステップＳ５）、一方、偶数サンプル時であればノイズシンボル信号Ｎ(even)を送信する（ステップＳ６）。
以上のようなステップＳ１〜Ｓ６の処理が送信装置１０側で繰り返されることにより、送信装置１０から受信装置２０へ、加算シンボル信号Ｃ(odd)とノイズシンボル信号Ｎ(even)とが１サンプル間隔で送信されることになる。
【００２９】
＜受信装置２０の受信動作＞
次に、受信装置２０の受信動作について、図４のフローチャートを参照しながら説明する。図４に示すように、受信装置２０の受信部２１は、今回サンプル時に得られた受信信号が加算シンボル信号Ｃ(odd)か、ノイズシンボル信号Ｎ(even)かを判断し（ステップＳ１１）、奇数サンプル時であれば加算シンボル信号Ｃ(odd)を信号抽出部２２の信号バッファ２２ａへ出力する。これにより、信号バッファ２２ａにおいて、加算シンボル信号Ｃ(odd)は、１サンプル時間だけバッファリングされる（ステップＳ１２）。
【００３０】
そして、上記ステップＳ１１において、受信部２１は、偶数サンプル時であればノイズシンボル信号Ｎ(even)を信号抽出部２２の信号減算部２２ｂへ出力する。これにより、信号減算部２２ｂにおいて、同期が取れた加算シンボル信号Ｃ(odd)からノイズシンボル信号Ｎ(even)が減算され、ＯＦＤＭシンボル信号Ａ(odd)が抽出される（ステップＳ１３）。
以上のようなステップＳ１１〜Ｓ１３の処理が受信装置２０側で繰り返されることにより、２サンプルに１回の割合で、ピーク電力が再生されたＯＦＤＭシンボル信号Ａ(odd)が得られることになる。
【００３１】
図５（ａ）は、送信装置１０側で６４ＱＡＭのデジタル変調を行った場合に、受信装置２０側で得られるピーク電力再生前（つまりノイズシンボル信号Ｎ(even)の減算前）の加算シンボル信号Ｃ(odd)のＩＱベクトル分布図である。この図に示すように、ピーク電力再生前の加算シンボル信号Ｃ(odd)は、ピーク電力が抑圧されているため、信号品質（ＥＶＭ）が大きく劣化していることがわかる。
【００３２】
一方、図５（ｂ）は、同じく送信装置１０側で６４ＱＡＭのデジタル変調を行った場合に、受信装置２０側で得られるピーク電力再生後（つまりノイズシンボル信号Ｎ(even)の減算後）のＯＦＤＭシンボル信号Ａ(odd)のＩＱベクトル分布図である。この図に示すように、ノイズシンボル信号Ｎ(even)の減算を行ってピーク電力を再生することにより、６４ＱＡＭという高速な変調方式を用いたにも拘わらず、ＥＶＭが大きく改善されていることがわかる。
【００３３】
つまり、本実施形態によれば、送信すべきＯＦＤＭシンボル信号に対するピーク電力抑圧処理（ＣＦＲ）を実施しながらも、通信品質の改善を図ることが可能となる。ここで、従来では、図６（ａ）に示すように、ＣＦＲによるＥＶＭの劣化のため、低レートの変調方式を用いて、１シンボル当り２ビットのデータしか伝送できないような状態であったものが、本実施形態では、図６（ｂ）に示すように、ＥＶＭを改善できるため、高レートの変調方式（例えば６４ＱＡＭ等）を用いて、１シンボル当り５ビットのデータを伝送することができるようになる。
【００３４】
従って、従来では、２シンボル（２サンプル）で２×２の４ビットのデータを伝送できたのに対し、本実施形態では、２シンボルで５ビットのデータを伝送できることになり、結果として伝送レートの向上を図ることが可能となる。
以上説明したように、本実施形態によれば、送信すべきＯＦＤＭシンボル信号（マルチキャリア信号）に対するピーク電力抑圧処理を実施しながらも、通信品質の改善を図り、以って伝送レートの向上を図ることが可能となる。
【００３５】
なお、本発明は上記実施形態に限定されず、以下のような変形例が挙げられる。
（１）図７は、送信装置１０の送信動作を示すフローチャートの変形例である。この図７に示すフローチャートにおいて、図２と異なる点は、ステップＳ１とＳ２との間に、抑圧すべきピーク電力の有無を判断するステップＳ１ａが挿入され、このステップＳ１ａで「有り」と判断されればステップＳ２に移行し、「無し」と判断されればステップＳ７（追加ステップ）に移行して通常送信動作を行うことである。
【００３６】
具体的には、送信装置１０の抑圧信号生成部１２に、ＯＦＤＭシンボル信号におけるピーク電力の有無を判断し、ピーク電力が無い場合には、ノイズシンボル信号の生成を停止する（ノイズシンボル信号として「０」レベル信号を生成する）機能を持たせると共に、送信部１４に、抑圧信号生成部１２によってピーク電力が無いと判断された場合、ＯＦＤＭシンボル信号を連続送信する機能を持たせれば良い。なお、ピーク電力の有無は、ＯＦＤＭシンボル信号の電力波形と所定の閾値とを比較することで判断することができる。
【００３７】
また、この場合、制御チャネル等を利用して、送信装置１０から受信装置２０へ通常送信動作（ＯＦＤＭシンボル信号の連続送信）を行うことを通知する必要がある。また、受信装置２０の信号抽出部２２に、送信装置１０からＯＦＤＭシンボル信号が連続送信される場合、受信部２１から連続的に得られるＯＦＤＭシンボル信号を処理することなく、後段に出力する機能を持たせれば良い。
【００３８】
（２）上記実施形態では、送信装置１０から加算シンボル信号とノイズシンボル信号とを１サンプル間隔で送信する場合を例示して説明したが、加算シンボル信号とノイズシンボル信号との送信間隔は任意に変更可能である。例えば、最初の３サンプルで加算シンボル信号を送信し、次の３サンプルでノイズシンボル信号を送信しても良い。但し、受信装置２０側で加算シンボル信号とノイズシンボル信号との対応関係を把握する必要がある。
【００３９】
（３）上記実施形態では、ＯＦＤＭ方式を採用する無線通信システム１を例示して説明したが、本発明はこれに限らず、平均電力に対するピーク電力の比（ＰＡＰＲ）が大きいマルチキャリア通信を採用する無線通信システムであれば適用可能である。
【符号の説明】
【００４０】
１…無線通信システム、１０…送信装置、１１…送信信号生成部、１２…抑圧信号生成部、１３…信号加算部、１４…送信部、２０…受信装置、２１…受信部、２２…信号抽出部
【図１】
2011109377.tif 000003
【図２】
2011109377.tif 000004
【図３】
2011109377.tif 000005
【図４】
2011109377.tif 000006
【図６】
2011109377.tif 000007
【図７】
2011109377.tif 000008
【図５】
2011109377.tif 000009